(57)【要約】  周波数中継器を構成するための方法及びシステムが提供される。前記周波数中継器は、サービスプロバイダのアイデンティティを用いて構成され、中継されるべき一組の周波数を定義するメッセージを受信し、前記周波数は、前記予め構成されたアイデンティティに一致するサービスプロバイダと関連づけられる。デジタルフィルタは、前記サービスプロバイダから着信信号を受信し、前記受信されたメッセージにおいて定義される周波数をフィルタリング及び中継する。前記周波数受信機は、前記中継器内に常駐するモデムによって実行されるセル探索手順に基づいてフィルタリング及び中継されるべき一組の周波数を決定することもできる。前記サービスプロバイダによって設定されるポリシーを、中継されるべき数字の組を定義するのを容易にするために利用することもできる。前記中継器によって利用される受信アンテナ及び送信アンテナの性能と関連づけられた信号品質メトリック及び分離メトリックを利用することによって、フィルタリング及び中継されるべき周波数の組をリアルタイムで適応させることができる。
2010520721.tif 000002
【特許請求の範囲】
【請求項１】
無線環境において周波数中継器を構成するための方法であって、
サービスプロバイダのアイデンティティを用いて前記周波数中継器を構成することと、
前記周波数中継器が前記予め構成されたアイデンティティに一致するサービスプロバイダによって送信された信号を受信する位置に前記周波数中継器を配置することと、
利用可能なサービスを有する一組の周波数チャネルを定義するメッセージを前記サービスプロバイダから受信することと、
前記受信された組の周波数を排他的に通過させるようにデジタルフィルタを構成することと、
前記通過された周波数を中継すること、とを備える、方法。
【請求項２】
前記受信された組の周波数を排他的に通過させるようにフィルタを構成することは、
前記組の周波数の表示を搬送するオーバーヘッドチャネルを受信することと、
前記オーバーヘッドチャネル内の前記表示から前記組の周波数を抽出すること、とをさらに備える請求項１に記載の方法。
【請求項３】
位置を見つけることは、前記周波数中継器位置を決定するために三角測量又は三辺測量のうちの少なくとも１つを行うことをさらに備える請求項１に記載の方法。
【請求項４】
位置を見つけることは、
中継されるべき搬送波の信号の品質メトリックを測定することと、
前記品質メトリックが予め決められたしきい値を上回るときには、前記中継器において動作する受信アンテナと送信アンテナとの間における分離メトリックを測定すること、とをさらに備える請求項１に記載の方法。
【請求項５】
位置を見つけることは、
中継器性能メトリックをモニタリングすることと、
前記測定された分離メトリック又は前記性能メトリックの規模のうちの少なくとも１つに少なくとも部分的に基づいて動作状態表示を設定すること、とをさらに備える請求項１に記載の方法。
【請求項６】
位置表示をロケーションエンジンから受け取ることをさらに備える請求項５に記載の方法。
【請求項７】
前記状態表示は、前記測定された分離メトリックがしきい値を上回るときの“良好”の値又は前記測定された分離メトリックがしきい値を下回るときの“故障”の値のうちの少なくとも１つを含む請求項５に記載の方法。
【請求項８】
第１の動作位置において権限付与メッセージを受信することと、
位置情報を前記中継器に格納することと、
現在位置が前記第１の動作位置と異なるかどうかを評価することと、
前記動作位置が変化していることを検出した時点で、中継器の動作をディスエーブルにすること、とをさらに備える請求項３に記載の方法。
【請求項９】
チャネルオーバーヘッドメッセージを受信することと、
中継する周波数を前記オーバーヘッドチャネルから抽出することと、
前記周波数を中継するように前記フィルタを構成すること、とをさらに備える請求項８に記載の方法。
【請求項１０】
前記第２の動作位置において周波数を中継するための権限付与を要求することをさらに備える請求項９に記載の方法。
【請求項１１】
中継されるべき前記周波数の組は、セルラー信号のセル探索において取得される請求項１に記載の方法。
【請求項１２】
前記セル探索は、前記中継器内に常駐するモデムによって行われる請求項１１に記載の方法。
【請求項１３】
中継されるべき前記周波数の組は、前記サービスプロバイダの動作帯域内の一組の副帯域を備える請求項１に記載の方法。
【請求項１４】
中継されるべき前記周波数の組は、前記サービスプロバイダと関連づけられた一組の予め決められた周波数を備える請求項１に記載の方法。
【請求項１５】
前記予め決められた周波数の組は、前記周波数中継器に格納される請求項１４に記載の方法。
【請求項１６】
中継されるべき前記周波数の組は、前記周波数中継器内に格納された動作ポリシーによって決定される一組の周波数を備える請求項１に記載の方法。
【請求項１７】
前記サービスプロバイダは、前記動作ポリシーを設定する請求項１６に記載の方法。
【請求項１８】
ネットワーク管理サービスが前記動作ポリシーを設定する請求項１６に記載の方法。
【請求項１９】
前記中継ポリシーは、利用可能なチャネル数、ネットワークの完全性、ユーザー層状態のうちの少なくとも１つに少なくとも部分的に基づく請求項１６に記載の方法。
【請求項２０】
前記中継ポリシーは、前記サービスプロバイダによって予め決められたサービスセルロード、サービスセル干渉レベル、又は電力割り当て方式のうちの少なくとも１つに少なくとも部分的に基づく請求項１９に記載の方法。
【請求項２１】
無線デバイスであって、
サービスプロバイダのアイデンティティを格納し、利用可能なサービスを有する一組の周波数チャネルを定義するメッセージをサービスプロバイダから受信し、前記受信された組の周波数を排他的に通過させるようにデジタルフィルタを構成し、及び前記通過された周波数を中継するように構成されたプロセッサであって、前記サービスプロバイダは、前記格納されたサービスプロバイダのアイデンティティに一致するプロセッサと、
前記プロセッサに結合されたメモリと、を備える、無線デバイス。
【請求項２２】
前記プロセッサは、中継されるべき搬送波の信号の品質メトリックを決定し、及び前記中継器内で動作する受信アンテナと送信アンテナとの間の分離メトリックを決定するようにさらに構成される請求項２１に記載の無線デバイス。
【請求項２３】
前記プロセッサは、中継器性能メトリックをモニタリングし、及び前記測定された分離メトリック又は前記性能メトリックの規模のうちの少なくとも１つに少なくとも部分的に基づいて動作状態表示を設定するようにさらに構成される請求項２１に記載の無線デバイス。
【請求項２４】
前記プロセッサは、ロケーションエンジンから位置表示を受け取るようにさらに構成される請求項２１に記載の無線デバイス。
【請求項２５】
無線環境において動作する装置であって、
サービスプロバイダのアイデンティティを用いて前記周波数中継器を構成するための手段と、
前記周波数中継器が前記予め構成されたアイデンティティに一致するサービスプロバイダによって送信された信号を受信する位置において前記周波数中継器を配置するための手段と、
利用可能なサービスを有する一組の周波数チャネルを定義するメッセージを前記サービスプロバイダから受信するための手段と、
前記受信された組の周波数を排他的に通過させるようにデジタルフィルタを構成するための手段と、
前記通過された周波数を中継するための手段と、を備える、装置。
【請求項２６】
コンピュータプログラム製品であって、
搬送波に関する最大信号を示す位置を見つけることをコンピュータに行わせるための符号と、
中継されるべき一組の周波数を受信することをコンピュータに行わせるための符号であって、前記周波数は前記搬送の波形と関連づけられる符号と、
前記受信された組の周波数を排他的に通過させるようにフィルタを構成することをコンピュータに行わせるための符号であって、前記フィルタはデジタルフィルタである符号と、
前記通過された周波数を中継することをコンピュータに行わせるための符号と、を含むコンピュータによって読み取り可能な媒体を備える、コンピュータプログラム製品。
【発明の詳細な説明】
【技術分野】
【０００１】
優先権の主張
本特許出願は、“ADAPTIVE SAME FREQUENCY REPEATER TECHNIQUES”（適応同一周波数中継器技法）という題名を有し、参照されることによって全体がここに組み入れられている、米国仮特許出願一連番号６０／９０４，３６８（出願日：２００７年３月２日）に対する優先権を主張するものである。
【背景技術】
【０００２】
従来は、無線通信ネットワーク、例えば、時分割複信（ＴＤＤ）、周波数分割複信（ＦＤＤ）ワイヤレス−フィデリティ（Ｗｉ−Ｆｉ）、全世界マイクロ波アクセス相互運用性（Ｗｉ−ｍａｘ）、セル方式グローバル移動体通信システム（ＧＳＭ）、符号分割多元接続（ＣＤＭＡ）、３Ｇに基づく無線ネットワーク等、のカバレッジエリアは、中継器によって拡大することができる。典型的中継器は、例えば、開放型システム間相互接続基本参照モデル（ＯＳＩモデル）によって定義された物理層又はデータリンク層において動作する周波数変換中継器又は同一周波数中継器を含む。
【０００３】
物理層中継器は、“同一周波数”又は“周波数変換”デバイスに分類することができる。中継器がどこに配備されることになるかということに関連するネットワークアーキテクチャが、使用される中継器の型を大きく左右する。同一周波数中継器が用いられる場合は、中継器が同じ周波数において同時並行して受信及び送信することを要求する。従って、中継器は、様々なアンテナ及びデジタル／アナログキャンセル技法を用いて受信機と送信機との間の分離を達成させなければならない。周波数変換中継器が用いられる場合は、中継器は、第１の周波数チャネルにおいて信号を受信し、次に同時並行して送信するためにその信号を第２の周波数チャネルに変換する。この方法により、周波数分離を通じて送信機と受信機との間の分離がある程度達成される。好ましいことに、製造コストの低減、設置しやすさ、等を達成するために中継器回路に加えて受信及び送信用のアンテナも同じパッケージに含められる。これは、中継器を、形状要因及び設置しやすさが重要な考慮事項である住宅又は小さい事務所用のデバイスとして用いることが消費者によって意図されている場合に特に当てはまる。該デバイスにおいては、通常は１本のアンテナ又は一組のアンテナが基地局、アクセスポイント、ゲートウェイの方を向き、他のアンテナ又は他の一組のアンテナが加入者デバイスの方を向く。
【０００４】
同時並行して受信及び送信する中継器の場合は、受信アンテナと送信アンテナを分離することが、中継器の全体的性能における１つの重要要因であり、これは、同じ周波数に中継するか又は異なる周波数に中継するかにかかわらず当てはまる。より具体的には、受信機アンテナ及び送信機アンテナが適切に分離されていない場合は、中継器の性能が有意な量だけ低下する可能性がある。一般的には、中継器の発振又は初期感度低下を防止するために中継器の利得は分離よりも大きくすることはできない。分離は、一般的には、物理的分離、アンテナパターン、又は偏波によって達成される。周波数変換中継器の場合は、帯域通過フィルタリングを利用して追加の分離を達成することができるが、アンテナ分離は、一般的には、望ましくない雑音及び送信機からの帯域外放出が受信アンテナの帯域内周波数範囲内おいて受信されることに起因して中継器の性能における１つの制限要因になっている。受信機と送信機との間のアンテナ分離は、中継器が同じ周波数において動作中でありさらに帯域通過フィルタリングが追加の分離を提供しない場合はさらに重大な問題である。
【０００５】
セル方式のシステムは、利用可能な認可スペクトルが制限されており、周波数変換中継手法を利用することができず、従って同じ受信及び送信周波数チャネルを利用する中継器を用いることがしばしばある。
【０００６】
上述されるように、消費者とともに用いられることが意図される中継器の場合は、さらなるコスト低減、設置しやすさ、等を達成させるために物理的に小型の形状を有する中継器を製造するのが好ましい。しかしながら、小型形状は、アンテナが非常に近接して配置されそれによって上述される分離問題を悪化させる可能性がある。
【０００７】
現在の中継器は、自己の送信機からの漏れを中継したい信号から分離することができないという点でさらなる重要な欠点を有する。その結果、従来の中継器は、典型的には、システム分離及び性能をリアルタイムで最適化することができず、その結果動作不良になるか又は全体的ネットワーク性能に対して破壊的影響を及ぼすことになる。具体的には、現在の方法は、中継器が一般的に動作するのを可能にする一方で中継器環境における望ましくない信号の適応キャンセルを考慮してない。その代わりに、現在の中継器配備は、コスト及び複雑さに起因してキャンセルループが制限されており、個別の実装であり、一般的にはサブバンドフィルタリングのない単一帯域システムにおいて配備される。さらに、現在の干渉キャンセルループ配備は、マルチパス遅延を想定しており、散乱信号における過度の又は整合性のない遅延、信号における遅延変化（例えば、ドップラー）、及び広帯域信号（例えば、ＩＣ帯域幅）に関する制限されたキャンセルを被る。
【０００８】
上記により、既存の方法の欠点を克服するためのシステム及び方法の必要性が存在することが直ちに明確になる。
【発明の概要】
【０００９】
この概要は、以下の発明を実施するための形態においてさらに詳細に説明される一組の概念を簡略化された形で紹介することを目的として提供される。この概要は、請求される主題の重要な特徴又は不可欠な特徴を特定することは意図されておらず、さらに請求される主張の適用範囲を制限するために用いられることも意図されていない。
【００１０】
一側面においては、本件特許明細書は、無線環境において周波数中継器を構成するための方法を説明し、前記方法は、サービスプロバイダのアイデンティティを用いて前記周波数中継器を構成することと、前記周波数中継器が前記予め構成されたアイデンティティに一致するサービスプロバイダによって送信された信号を受信する位置に前記周波数中継器を配置することと、利用可能なサービスを有する一組の周波数チャネルを定義するメッセージを前記サービスプロバイダから受信することと、前記受信された組の周波数を排他的に通過させるようにデジタルフィルタを構成することと、前記通過された周波数を中継すること、とを備える。
【００１１】
他の側面においては、サービスプロバイダのアイデンティティを格納し、利用可能なサービスを有する一組の周波数チャネルを定義するメッセージをサービスプロバイダから受信し、前記受信された組の周波数を排他的に通過させるようにデジタルフィルタを構成し、及び前記通過された周波数を中継するように構成されたプロセッサであって、前記サービスプロバイダは、前記格納されたサービスプロバイダのアイデンティティに一致するプロセッサと、前記プロセッサに結合されたメモリと、を備える無線デバイス。
【００１２】
さらに他の側面においては、無線環境において動作する装置であって、サービスプロバイダのアイデンティティを用いて前記周波数中継器を構成するための手段と、前記周波数中継器が前記予め構成されたアイデンティティに一致するサービスプロバイダによって送信された信号を受信する位置に前記周波数中継器を配置するための手段と、利用可能なサービスを有する一組の周波数チャネルを定義するメッセージを前記サービスプロバイダから受信するための手段と、前記受信された組の周波数を排他的に通過させるようにデジタルフィルタを構成するための手段と、前記通過された周波数を中継するための手段と、を備える装置、が開示される。
【００１３】
さらに他の側面においては、本件の説明は、搬送波に関する最大信号を示す位置を見つけることをコンピュータに行わせるための符号と、中継されるべき一組の周波数であって、前記搬送波の波形と関連づけられた周波数、を受信することをコンピュータに行わせるための符号と、前記受信された組の周波数を排他的に通過させるようにフィルタを構成することをコンピュータに行わせるための符号であって、前記フィルタはデジタルフィルタである符号と、前記通過された周波数を中継することをコンピュータに行わせるための符号と、を含むコンピュータによって読み取り可能な媒体を備えるコンピュータプログラム製品を開示する。
【００１４】
以下の説明及び添付図は、主題の一定の例示的側面について詳細に説明するものである。しかしながら、これらの側面は、主題を採用できる様々な方法のうちの幾つかを示すにすぎず、請求される主題は、すべてのこれらの側面及びその同等の側面を含むことが意図される。
【図面の簡単な説明】
【００１５】
【図１】ここにおいて説明される側面による例示的中継器の典型的エンクロージャのブロック図である。
【図２】ここにおいて説明される側面によるフィードバックキャンセルを行う典型的ＲＦ中継器に関する典型的信号伝搬のブロック図である。
【図３】ここにおいて説明される側面による典型的アンテナ中継器構成要素のブロック図である。
【図４】ここにおいて説明される側面による典型的中継器構成要素のブロック図である。
【図５】ここにおいて説明される側面による例示的ＲＦ中継器の典型的構成要素の協力のブロック図である。
【図６】ここにおいて説明される側面による例示的ＲＦ中継器の典型的構成要素の協力の他のブロック図である。
【図７】ここにおいて説明される側面によるデュアルバンドアレイを有する周波数分割複信（ＦＤＤ）中継器のブロック図である。
【図８】ここにおいて説明される側面によるデジタル干渉キャンセルシステムを有する典型的ＦＤＤ単一帯域中継器のブロック図である。
【図９】ここにおいて説明される側面によるデジタル干渉キャンセルシステム及びアレイを有する典型的ＦＤＤ単一帯域中継器のブロック図である。
【図１０】ここにおいて説明される側面による中継器の構成を容易にする典型的システムを示した図である。
【図１１】ここにおいて説明される側面によるチャネルフィルタリング及び中継を適応可能な形で決定することができる中継器プラットフォーム例を示した図である。
【図１２Ａ】ポリシー格納装置の内容例を示した図である。
【図１２Ｂ】ポリシー格納装置の内容に基づいて構成することができるフィルタマスクを示した図である。
【図１３】構成を達成させるために、無線ネットワークを運用するサービスプロバイダとは異種のネットワーク管理プラットフォームを利用する中継プラットフォームの構成を容易にするためのシステム例のブロック図である。
【図１４】本件特許明細書において説明される側面による周波数中継器を構成するための方法例の流れ図である。
【図１５】ここにおいて説明される側面による性能メトリックに基づいて適応可能な形で中継器を構成するための方法例の流れ図である。
【図１６】位置変化に基づいて周波数中継器の動作状態を管理するための方法例の流れ図である。
【図１７】周波数中継器の構成を容易にするシステム例を示した図である。
【発明を実施するための形態】
【００１６】
本開示は、２００８年３月３日に出願された次の米国特許出願、すなわち、
“PHYSICAL LAYER REPEATER UTILIZING REAL TIME MEASUREMENT METRICS AND ADAPTIVE ANTENNA ARRAY TO PROMOTE SIGNAL INTEGRITY AND AMPLIFICATION”（信号の完全性及び増幅を向上させるためにリアルタイム測定メトリック及び適応アンテナアレイを利用する物理層中継器）、Ａｔｔｏｒｎｅｙ  Ｄｏｃｋｅｔ  Ｎｕｍｂｅｒ０８０６０３Ｕ１、一連番号ＸＸ／ＸＸＸ，ＸＸＸ；“CLOSED FORM CALCULATION OF TEMPORAL EQUALIZER WEIGHTS USED IN A REPEATER TRANSMITTER LEAKAGE CANCELLATION SYSTEM”（中継器送信機漏れキャンセルシステムにおいて用いられる時間等化器重みの閉形式計算）、Ａｔｔｏｒｎｅｙ  Ｄｏｃｋｅｔ  Ｎｏ．０８０６０３Ｕ２、一連番号ＸＸ／ＸＸＸ，ＸＸＸ；“USE OF A FILTERBANK IN AN ADAPTIVE ON-CHANNEL REPEATER UTILIZING ADAPTIVE ANTENNA ARRAYS”（適応アンテナアレイを利用する適応オンチャネル中継器におけるフィルタバンクの使用）、ＡｔｔｏｒｎｅｙＤｏｃｋｅｔ  Ｎｏ．０８０６０３Ｕ３、一連番号ＸＸ／ＸＸＸ，ＸＸＸ；“USE OF ADAPTIVE ANTENNA ARRAY IN CONJUNCTION WITH AN ON-CHANNEL REPEATER TO IMPROVE SIGNAL QUALITY”（信号品質を向上させるためのオンライン中継器と連携した適応アンテナアレイの使用）、Ａｔｔｏｒｎｅｙ Ｄｏｃｋｅｔ  Ｎｏ．０８０６０３Ｕ４、一連番号ＸＸ／ＸＸＸ，ＸＸＸ；“AUTOMATIC GAIN CONTROL AND FILTERING TECHNIQUES FOR USE IN ON-CHANNEL REPEATER”（オンチャネル中継器において用いるための自動利得制御及びフィルタリング技法）、Ａｔｔｏｒｎｅｙ Ｄｏｃｋｅｔ  Ｎｏ．０８０６０３Ｕ５、一連番号ＸＸ／ＸＸＸ，ＸＸＸ；及び“SUPERIMPOSED COMPOSITE CHANNEL FILTER”（スーパーインポーズされた複合チャネルフィルタ）、Ａｔｔｏｒｎｅｙ Ｄｏｃｋｅｔ  Ｎｏ．０８０６０３Ｕ７、一連番号ＸＸ／ＸＸＸ，ＸＸＸ、に関連し、各々の特許出願の内容は、その全体が参照されることによってここによって組み入れられている。
【００１７】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１８】
さらに、本発明の様々な側面が以下において説明される。ここにおける教示は非常に様々な形態で具現化できること及びここにおいて開示される特定の構造及び／又は機能は単なる代表例であるにすぎないことが明確なはずである。ここにおける教示に基づき、当業者は、ここにおいて開示される側面はその他の側面と無関係に実装できること及びこれらの側面のうちの２つ以上を様々な方法で組み合わせることができることを明確に理解すべきである。例えば、ここにおいて詳述される側面のうちのあらゆる数の側面を用いて装置を実装することができ及び／又は方法を実践することができる。さらに、ここにおいて詳述される側面のうちの１つ以上に加えての又はそれ以外のその他の構造及び／又は機能を用いて装置を実装でき及び／又は方法を実践することができる。一例として、ここにおいて説明される方法、デバイス、システム及び装置の多くは、Ｗ−ＣＤＭＡ通信システムにおいてアップリンクパイロット信号をブーストすることに関して説明される。この発明は、ＣＤＭＡ−２０００等のその他の基準、及び現在開発中のＯＦＤＭに基づくシステム、例えばＬＥＴ及びＵＭＢ、に対しても等しく適用される。当業者は、同様の技法をその他の通信環境に適用可能であることを明確に理解すべきである。
【００１９】
この出願において用いられる“構成要素”、“モジュール”、“システム”、等の用語は、ハードウェア、ファームウェア、ハードウェアとソフトウェアの組み合わせ、ソフトウェア、実行中のソフトウェア、ファームウェア、ミドルウェア、マイクロコード、及び／又はその組み合わせ、のいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。例として、制限することなしに、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と対話中の及び／又はインターネット等のネットワークを通じて信号を用いてその他のシステムと対話中の構成要素からのデータ）を有する信号に従って通信することができる。さらに、当業者によって明確に理解されるように、ここにおいて説明されるシステムの構成要素は、それに関して説明される様々な側面、目標、利点、等を達成するのを容易にするために再配置すること及び／又は追加の構成要素によって補完することができ、さらに、所定の図において示される精密な構成に限定されない。
【００２０】
さらに、ここにおいては、様々な実施形態が無線端末又はユーザー装置（ＵＥ）と関係させて説明される。無線端末又はＵＥは、システム、加入者ユニット、加入者局、移動局、モバイル、モバイルデバイス、遠隔局、遠隔端末、ＵＥ、ユーザー端末、端末、無線通信デバイス、ユーザーエージェント、ユーザーデバイスと呼ぶことも可能である。無線端末又はＵＥは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、無線端末と通信するために利用することができ、アクセスポイント、ノードＢ、又はその他の用語で呼ぶことも可能である。
【００２１】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。さらに、音声メールを送信及び受信する際、セルラーネットワーク等のネットワークにアクセスする際、又は指定された機能を果たすようにデバイスに命令する際に用いられるようなコンピュータによって読み取り可能な電子データ又は命令を搬送するために搬送波を採用できることが明確に理解されるべきである。従って、“機械によって読み取り可能な媒体”という表現は、命令及び／又はデータを格納、内蔵、及び／又は搬送することができる様々な物理的媒体を意味する（ただし、真空は意味しない）。さらに、ここにおいて説明されるシステム及び方法は、命令及び／又はデータを格納、内蔵、及び／又は搬送することができる無線チャネルの一部として機械によって読み取り可能な媒体として採用することができる。当然のことであるが、当業者は、ここにおいて説明されて請求される発明の適用範囲又は精神を逸脱せずに開示される実施形態に対して数多くの変更を行うことが可能であることを認識するであろう。
【００２２】
さらに、“典型的な”という表現は、ここでは、“１つの例、事例、又は実例”を意味するために用いられる。ここにおいて“典型的な”として説明されるいずれの側面又は設計も、その他の側面又は設計よりも好ましい又は有利であるとは必ずしも解釈すべきではない。むしろ、典型的という表現の使用は、概念を具体的に提示することが意図される。この出願において用いられる表現“又は”は、排他的“又は”ではなく包含的“又は”を意味することが意図される。すなわち、その他の規定がない限り、又は文脈から明らかでない限り、“ＸはＡ又はＢを採用する”は、自然の包含的置換のうちのいずれかを意味することが意図される。すなわち、ＸがＡを採用する、ＸがＢを採用する、又はＸがＡ及びＢの両方を採用する場合は、上記の事例のうちのいずれかに基づいて“ＸはＡ又はＢを採用する”が満たされる。さらに、この出願及び添付される請求項において用いられる冠詞“ａ”又は“ａｎ”は、一般的には、その他の規定がない限り又は単数形であることが示されることが文脈から明らかでない限り、“１つ以上”を意味すると解釈されるべきである。
【００２３】
ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００２４】
ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単搬送波ＦＤＭＡ（ＳＣ−ＦＤＭＡ）ネットワーク、等に関して用いることができる。用語“ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＴＤ−ＳＣＤＭＡと、ＴＤ−ＣＤＭＡと、を含む。ｃｄｍａ２０００は、ＩＳ−２０００、ＩＳ−９５、及びＩＳ−８５６基準を網羅する。ＴＤＭＡネットワークは、グローバル移動体通信システム（ＧＳＭ）等の無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ロング・ターム・エボリューション（ＬＴＥ）は、近い将来リリースされる予定のＥ−ＵＴＲＡを用いるＵＭＴＳである。ＵＴＲＡ、Ｅ−ＵＴＲＡ、ＧＳＭ、ＵＭＴＳ、及びＬＴＥは、“第３世代パートナーシッププロジェクト”（３ＧＰＰ）という名称の組織から発行された文書において説明されている。ＣＤＭＡ２０００は、“第３世代パートナーシッププロジェクト２”（３ＧＰＰ２）という名称の組織から発行された文書において説明されている。これらの様々な無線技術及び基準は、当業において知られている。説明を明確化するため、以下においては、上記の技法の一定の側面は、ＬＴＥに適用されるときのアップリンクパイロット多重化に関して説明することができ、その結果、以下の説明の多くにおいては３ＧＰＰ用語を適宜用いることができる。
【００２５】
以下においてさらに詳細に説明されるように、周波数中継器を構成するための方法及びシステムが提供される。周波数中継器は、サービスプロバイダのアイデンティティを用いて構成され、中継されるべき一組の周波数を定義するメッセージを受信し、これらの周波数は、予め構成されたアイデンティティに一致するサービスプロバイダと関連づけられる。デジタルフィルタは、サービスプロバイダからの着信信号を受信し、受信されたメッセージ内において定義される周波数をフィルタリング及び中継する。周波数中継器は、フィルタリング及び中継されるべき一組の周波数を中継器に常駐するモデムによって行われるセル探索手順に基づいて決定することも可能である。中継されるべき数字（ｆｉｇｕｒｅ）の組を定義するのを容易にするためにサービスプロバイダによって設定されたポリシーを利用することも可能である。中継器によって利用される受信アンテナ及び送信アンテナの性能と関連づけられた信号品質メトリック及び分離メトリックを利用することによって、フィルタリング及び中継されるべき周波数の組は、リアルタイムで適応させることができる。
【００２６】
最初に図１に関して、図１は、ここにおいて説明される様々な側面による例示的中継器に関する典型的エンクロージャを示す。図１に示されるように、ダイポールデュアルパッチアンテナ構成は、中継器電子機器とともに、コンパクトなエンクロージャ１００内に効率的に収納することができる。エンクロージャ１００の構造は、２つの方法のうちの少なくとも１つで直感的に方位を定めることができるような構造であることができる。しかしながら、信号受信感度を最大にするためにエンクロージャの配置に関する取り扱い説明をユーザーに提供することができる。典型的ダイポールデュアルパッチアンテナ構成においては、中継器電子機器用プリント基板（ＰＣＢ）とともに組み入れられたグランド面は、例えばスタンドオフ１２０を用いて２つのパッチアンテナ１１４と１１５と平行に及びこれらのパッチアンテナ１１４と１１５の間に配置することができる。多くの場合は、分離を向上させるための分離フェンス１１２を採用することができる。
【００２７】
パッチアンテナ１１４及び１１５の各々は、例えば、グランド面１１３と平行に配置することができ、及び配線板、等の上にプリントすることができ、スタンプされた金属部分がプラスチックのハウジング内に埋め込まれる構造にすることができ、又は異なる方法で製造することができる。グランド面１１３と関連づけられたＰＣＢの平面部分は、例えばＰＣＢ上における埋め込まれたトレースとして構成されたダイポールアンテナ１１１を含むことができる。典型的には、パッチアンテナ1１４及び１１５は、垂直偏波することができ、ダイポールアンテナ１１１は、水平偏波されるが、その他の実施形態を用いることも可能である。
【００２８】
重なり合わないアンテナパターンと反対の偏波の組み合わせを利用して、デュアルダイポールデュアルパッチアンテナにおける受信アンテナと送信アンテナとの間において約４０ｄＢの分離を達成することができる。特に、送信機及び受信機のうちの１つは、アクセスポイントとの通信用の垂直偏波を有する２つのデュアル切り替えパッチアンテナのうちの１つを使用し、他方、送信機及び受信機のうちの他方は、水平偏波を有するダイポールアンテナを採用する。この手法は、中継器が屋内ネットワーク信号を屋内のクライアントに中継することを意味するときに特に適用可能である。この場合は、クライアントに送信するアンテナのパターンは、典型的には、クライアントへの方向が不明であるため、一般的に無指向性である必要があり、デュアルダイポールアンテナの使用を要求する。
【００２９】
図２は、例示する中継器環境２００内における典型的信号流の例示的ブロック図を描く。示されるように、弱い受信信号（希望される受信信号）２２０は、アンテナ要素２１０によって受信することができ、利得及び遅延構成要素２０５への入力として働くことができる。利得及び遅延構成要素２０５は、弱い受信信号２２０を処理して強い信号２３０をアンテナ要素２１５からの出力として生成することができる。さらに、受信機２２５内への送信信号漏れは、弱い受信信号２２０を処理して強い信号２３０を生成するときに用いるためにアンテナ要素２１０における利得及び遅延２０５への入力として働くこともできる。受信機２２５内への送信漏れ信号は、アンテナ要素２１０及び２１５に動作可能な形で結合されたフィードバックキャンセルループ（示されていない）によって生成することができる。すなわち、フィードバックキャンセルループは、中継器によって送信される信号を生成し、この信号の一部は、送信漏れ信号として受信機２２５によって受信される。
【００３０】
図３は、典型的中継器環境３００のアンテナ要素の相互作用を示す。典型的中継器環境３００は、ダイポールアンテナ３０５と３２０とを含むプリント基板３３０を備え、パッチアンテナ３１０と３１５とをさらに含む。例示的実装においては、ダイポール／パッチアンテナの組み合わせは、送信チャネルと受信チャネルとの間の選択された分離を達成して希望されるフィードバックキャンセルの実装を可能にすることができる。図３のアンテナ構成は、ここにおいて説明されるその他の実施形態において用いることができるアンテナアレイの構成例である（ここで、例えばパッチアンテナ３１０は、１方のアンテナアレイの一部であり、パッチアンテナ３１５は、他方のアンテナアレイの一部である）。
【００３１】
図４は、典型的中継器に関する選択された分離を提供する際に用いるための他のアンテナ構成の１つの側を示す。アンテナ構成４００は、１つ以上のパッチアンテナ４１０及び４１５が取り付けられたＰＣＢ板４０５を備える。典型的にはＰＣＢの反対側にも同様の数のアンテナパッチが存在することになり、典型的にはアンテナ４１０及び４１５の偏波と比較したときに反対の又は有利な偏波方向に向けられており、従って、ＰＣＢの反対側のアンテナ間において十分な量のさらには最大量の分離が達成されることに注目すること。例示的実装においては、ＰＣＢ板４０５は、様々な構成における１つ以上のパッチアンテナ４１０及び４１５を備えることができ、２対以上のパッチアンテナ及びスーパーセットを構成する不等な数の各々のパッチアンテナを有することができる。アンテナ構成４００は、ＰＣＢの反対側における同様の数のアンテナとともにパッチアンテナ４１０及び４１５を配備することで、典型的な協力するフィードバックキャンセルループ（例えば、アンテナアレイに動作可能な形で結合されたフィードバックキャンセルループ）によって提供される分離及び増幅に協力するために送信チャネルと受信チャネル（例えば、１つ以上のパッチアンテナに動作可能な形で結合された送信アンテナと１つ以上のパッチアンテナに動作可能な形で結合された受信チャネル）との間において選択された分離を提供することができる。図４の構成は、ここにおいて説明される実施形態において用いることができるアンテナアレイの他の例を示す。
【００３２】
図５は、１つ以上のアンテナアレイ用いて信号のコンディショニング及び増幅を行うために動作可能な典型的中継器環境５００を示す。典型的中継器環境５００は、アンテナ要素５１０及び５１５を有する第１のアンテナアレイ５０５と、アンテナ要素５３０及び５３５を有する第２のアンテナアレイと、多トランシーバ回路５２０を備える処理回路５４５と、コントローラ５２５と、を備える。アンテナアレイ５０５及び５４０は、多トランシーバ回路５２０と協力することができ、多トランシーバ回路５２０は、典型的中継器環境５００の動作の一部としてコントローラ５２５と協力する。信号は、アンテナアレイ５０５及び５４０によって受信して信号のコンディショニングと処理のために処理回路５４５に渡し、次に１つ以上の協力構成要素（例えば、ＣＤＭＡ無線通信ネットワークの基地局）と通信するためにアンテナアレイ５０５及び５４０に戻すことができる。
【００３３】
例示的実装においては、アンテナアレイ５０５及び５４０は、１つ以上のアンテナアレイの協力及び１つ以上のメトリック、例えば１つ以上の相関化結果、の適用によって実現される適応フィードバックキャンセルを達成するために以下において説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎない。
【００３４】
図６は、典型的中継器環境６００の相互関係を示す。典型的中継器環境６００は、第１のアンテナ６２５と第４のアンテナ６４０とを備えるアンテナアレイ６４５と、シールドされた多トランシーバ要素６３０と、第２のアンテナ要素６６０と第３のアンテナ要素６５５とを備えるアンテナアレイ６５０と、を備える処理回路６２０を備える。動作可能な形で、第１のネットワーク６０５から発生するダウンリンク信号６１０は、処理回路６２０によって処理して第２のネットワーク６７５に通信するための中継されたダウンリンク信号６５５を生成することができ、第２のネットワーク６７５から発生するアップリンク信号は、処理回路６２０によって処理して第１のネットワーク６０５に通信するための中継されたアップリンク信号６１５を生成することができる。アンテナアレイ６４５及び６５０の構成及び方位は、処理回路６２０に提供されるコンディショニングされていないアップリンク信号及びダウンリンク信号の選択された分離を促進し及び該信号の希望される増幅及び利得を促進する。
【００３５】
例示的実装においては、典型的中継器環境６００は、１つ以上のアンテナアレイの協力及び１つ以上の相関化メトリックの適用によって実現される適応フィードバックキャンセルを達成するためにここにおいて説明される方法を実行するために要求されるのに応じた追加のアンテナ要素を備えることができる。さらに、ここにおいて説明されるシステム及び方法は、様々な構成を有し及び様々な数のアンテナ要素を備える様々な数のアンテナアレイの使用を企図するため、ここにおいて説明されるアンテナアレイの数及び構成は単なる例であるにすぎないことが明確に理解される。
【００３６】
図７は、様々な例示的実装による複数の帯域において動作するように構成された４アンテナ、多トランシーバデバイス７００のブロック図である。このデバイス７００は、利用可能なアンテナの可変構成を用いて２つの異なる帯域間で自由に信号を送信することができる。
【００３７】
図７に示されるように、デバイス７００は、第１の側７１０と第２の側７１２とを有するシールドされた多トランシーバ要素７０１を含むことができる。シールドされた多トランシーバ要素７０１は、第１の帯域トランシーバ７３２及び７４８と、第１の帯域ベースバンド回路７３４と、第２の帯域トランシーバ７５０及び７５４と、第２の帯域ベースバンド回路７５２と、デュプレクサ７２４、７２６、７２８、７３０、７３８、７４０、７４４、及び７４６と、ダイプレクサ７２０、７２２、７３６、及び７４２と、を含み、第１の側７１０は、アンテナ７０６と７０８とを含み、前記第２の側７１２は、アンテナ７１４と７１６とを含む。示されていないが、デバイス７００は、上述されるように、少なくとも１つの電磁分離要素（例えば、図１に示されるような分離フェンス及び／又はその他の分離要素）を含み、第１の側７１０におけるアンテナ７０６及び７０８と、第２の側７１２におけるアンテナ７１４及び７１６との間において電磁（ＥＭ）分離を提供する。
【００３８】
例として、アンテナ７０６は、信号７０２を送信又は受信することができ、アンテナ７０８は、信号７０４を送信又は受信することができ、アンテナ７１４は、信号７５６を送信又は受信することができ、アンテナ７１６は、信号７１８を送信又は受信することができる。これらのアンテナ７０６、７０８、７１４、及び７１６は、平面（例えば、パッチ）アンテナ、又は互いに有効に分離することができるその他の望ましいアンテナ型であることができる。
【００３９】
第１の帯域トランシーバ７３２は、デュプレクサ７２４、７２６、７２８、及び７３０、及びダイプレクサ７２０、及び７２２を通じてアンテ７０６及び７０８に接続され、アンテナ７０６及び７０８を介してデータを送信又は受信する。第１の帯域トランシーバ７４８は、デュプレクサ７３８、７４０、７４４、及び７４６、及びダイプレクサ７３６、及び７４２を通じてアンテ７１４及び７４２に接続され、アンテナ７１４及び７１６を介してデータを送信又は受信する。第１の帯域ベースバンド回路７３４は、第１の帯域トランシーバ７３２と第１の帯域トランシーバ７４８との間に接続されてこれらの２つの回路間での通信を提供する。
【００４０】
第２の帯域トランシーバ７５０は、デュプレクサ７２８及び７３０、及びダイプレクサ７２０及び７２２を通じてアンテ７０６及び７０８に接続され、アンテナ７０６及び７０８を介してデータを送信又は受信する。第２の帯域トランシーバ７５４は、デュプレクサ７３８及び７４０、及びダイプレクサ７３６及び７４２を通じてアンテ７１４及び７１６に接続され、アンテナ７１４及び７１６を介してデータを送信又は受信する。第２の帯域ベースバンド回路７５２は、第２の帯域トランシーバ７５０と第２の帯域トランシーバ７５４との間に接続されてこれらの２つの回路間における通信を提供する。
【００４１】
ダイプレクサ７２０、７２２は、アンテナ７０６及び７０８と、デュプレクサ７２４、７２６、７２８、及び７３０との間に接続される。これらは、例えば、アンテナ７０６及び７０８と第１の帯域トランシーバ７３２との間で及びアンテナ７０６及び７０８と第２の帯域トランシーバ７５０との間でいずれの信号が渡されるかを決定するために動作する。
【００４２】
ダイプレクサ７２０、７２２は、周波数に基づいて信号を分割し、第１の周波数帯域の信号をデュプレクサ７２４及び７２６に／から渡し、第２の周波数帯域の信号をデュプレクサ７２８及び７３０に／から渡すように構成される。
【００４３】
デュプレクサ７２６、７２８は、ダイプレクサ７２０、７２２と第１の帯域トランシーバ７３２との間に接続され、デュプレクサ７２８、７３０は、ダイプレクサ７２０、７２２と第２の帯域トランシーバ７５０との間に接続される。これらのデュプレクサ７２４、７２６、７２８、７３０は、第１及び第２の帯域トランシーバ７３２及び７５０とダイプレクサ７２０、７２２との間において送信信号又は受信信号の方向を適切に示すために第１又は第２の帯域内においてわずかに異なる周波数の信号をそれぞれルーティングする働きをする。
【００４４】
ダイプレクサ７３８、７４２は、アンテナ７１６及び７１６と、デュプレクサ７３８、７４０、７４４、及び７４６との間に接続される。これらは、例えば、アンテナ７１４及び７１６と第１の帯域トランシーバ７４８との間で、及びアンテナ７１４及び７１６と第２の帯域トランシーバ７５４との間でいずれの信号が渡されるかを決定するために動作する。
【００４５】
ダイプレクサ７３８、７４２は、周波数に基づいて信号を分割し、第２の周波数帯域の信号をデュプレクサ７３８及び７４０に／から渡し、第１の周波数帯域の信号をデュプレクサ７４４及び７４６に／から渡すように構成される。
【００４６】
デュプレクサ７３８、７４０は、ダイプレクサ７３６、７４２と第２の帯域トランシーバ７５４との間に接続され、デュプレクサ７４４、７４６は、ダイプレクサ７３６、７４２と第１の帯域トランシーバ７４８との間に接続される。これらのデュプレクサ７３８、７４０、７４４、７４６は、第１及び第２の帯域トランシーバ７４８及び７５４とダイプレクサ７３６、７４２との間において送信信号又は受信信号の方向を適切に示すために第１又は第２の帯域内においてわずかに異なる周波数の信号をそれぞれルーティングする働きをする。
【００４７】
代替の例示的実施形態においては、幾つかの実施形態においては帯域及びアンテナの一定の置換を禁止することができるため、デュプレクサ７２４、７２６、７２８、７３０、７３８、７４０、７４４、及び７４６、又はダイプレクサ７２０、７２２、７３６、及び７４２の一部は取り除くことができる。
【００４８】
その他の例示的実施形態においては、異なる帯域からの信号を一定の送信方位に特に割り当てることができる。該実施形態においては、デュプレクサ７２４、７２６、７２８、７３０、７３８、７４，７４４、及び７４６の出力は、アンテナ７０６、７０８、７１４、又は７１６に直接接続することができる。例えば、第１の帯域は、水平方位を用いて送信／受信するように指定することが可能であり、第２の帯域は、垂直方位を用いて送信／受信するように指定することが可能である。
【００４９】
上記の例示的実装は、２つ又は４つのアンテナのみを２つのトランシーバとともに用いることを示すが、これは例であるにすぎない。異なるアンテナ数又はトランシーバ数を用いる多アンテナ、多トランシーバデバイスも使用可能である。
【００５０】
さらに、上記の例示的実装は、ＰＣＢから切り離されたアンテナを示すが、代替実施形態は、ＰＣＢの反対側において直接アンテナを形成することが可能である。該実施形態においては、ＰＣＢ内の絶縁層は、アンテナをグランド面から切り離すための要求される非伝導性支持物を形成することができる。さらに、該実施形態においては、トランシーバは、ＰＣＢから外れて形成し、ＰＣＢ上での配線によってアンテナに接続させることが可能である。この種の一体化構造は、よりコンパクトなデバイスを提供することができる。
【００５１】
図８は、ここにおいて説明される典型的方法を実行することによるデジタル干渉キャンセルシステムを有するＦＤＤ単一帯域を展開するために動作可能な典型的中継器環境８００を描く。示されるように、典型的中継器環境８００は、基地局８０２から信号を受信するために動作可能なアンテナ要素に動作可能な形で結合され及びトランシーバ８０６に入力信号を提供するデュプレクサ８０４を備え及び処理のためにトランシーバ８０６から信号を受信するために動作可能である。さらに、典型的中継器環境は、トランシーバ８０６及びデュプレクサ８１２に動作可能な形で結合されるトランシーバ８１０に動作可能な形で結合されるデジタル中継器ベースバンド構成要素８０８を備える。例示的実装においては、デュプレクサは、協力する加入者構成要素８１４（例えば、モバイルハンドセット）への信号通信を可能にするアンテナ要素に動作可能な形で結合される。
【００５２】
例示的動作においては、矢印線によって示されるように、入射信号及び送信された信号は、ここにおいて説明される典型的フィードバックキャンセル方法を実装できるような形で典型的中継器環境８００によって処理することができる。
【００５３】
図９は、ここにおいて説明される典型的方法を実行することによるデジタル干渉及びアンテナアレイを有するＦＤＤ単一帯域を展開するために動作可能な典型的中継器環境９００を示す。示されるように、典型的中継器環境９００は、デュプレクサ９０４、９０６、９１４、及び９１６と、トランシーバ９０８及び９１２と、デジタル中継器ベースバンド９１０と、を備える。デュプレクサ９０４、９０６、９１４、及び９１６は、基地局９０２及び加入者構成要素９１８から信号を受信／送信できる１つ以上のアンテナ要素に動作可能な形で結合することができる。
【００５４】
例示的動作においては、矢印線によって示されるように、受信された信号及び送信された信号は、ここにおいて説明される典型的フィードバックキャンセル方法に従って典型的中継器環境９００によって処理することができる。
【００５５】
図１０は、中継器プラットフォーム、又は中継器の構成を容易にするシステム例１０００を示す。システム１０００においては、中継器構成要素１０４０の構成は、少なくとも２つの主プロトコル、すなわち、（ｉ）権限が付与されない及び（ｉｉ）権限が付与されたモデルに従って進行することができる。さらに、権限が付与されたモデルにおいては、権限付与は、位置に少なくとも部分的に基づくことができる。両モデルにおいて、中継器プラットフォーム１０４０は、通信リンクを通じて基地局１０２０からネットワーク情報１０３５を受信する。（ｉ）においては、ネットワーク情報１０３５は、通信（例えば、データ、音声）に関して利用可能なサービスプロバイダのチャネルと関連づけられた一組の識別子を備えることができる。一側面においては、該ネットワーク情報１０２５は、典型的にはサービスプロバイダによって利用される無線技術と関連づけられた物理的ブロードキャストチャネル又はインバンドフレームにおいて通信することができる。例えば、ＣＤＭＡ２０００においては、ネットワーク情報１０２５は、ページングチャネルにおいて搬送することができる。他の例として、８０２．１１又は８０２．１６技術においては、管理フレームは、識別子の組を搬送することができる。システム例１０００においては、プランニング構成要素１０１０が該情報を提供することができる。モデル（ｉｉ）においては、明示の権限付与モデルが中継器プラットフォーム１０４０の構成を容易にすることができる。該権限付与は、ネットワーク情報１０３５を通じて受信することができる。
【００５６】
一側面においては、中継器プラットフォーム１０４０は、モデム構成要素１０４５と、フィルタエンジン１０５５と、を備える。さらに、プロセッサ１０６５が、該構成要素の各々に結合され、モデム構成要素１０４５及びフィルタエンジン１０５５の機能の少なくとも一部分を提供するように構成することができる。モデム構成要素は、ネットワーク情報（例えば、制御チャネル内又はオーバーヘッドチャネル内のメッセージ、又は８０２．１１ｂ／ｇ又は８０２．１６ｅ技術の場合は一組の管理フレーム）を受信し、周波数情報を抽出するために処理する。メッセージの処理は、情報を抽出するのを容易にする復調動作を含むことができ、該動作は、逆高速フーリエ変換、サイクリックプリフィックス又は関連する時間−ガード間隔のプルーニング、受信されたデータストリームを搬送するために利用される特定の方式（ＢＰＳＫ、ＱＰＳＫ、４−ＱＡＭ、１６−ＱＡＭ）に従った復調、等を備えることができる。さらに、モデム構成要素は、利用可能な搬送波又は副搬送波（例えば、副帯域）を検出するためのセル探索を行うこと、及び時間−周波数同期化を行うことができる。モデム構成要素１０４５は、当業においては様々な無線通信技術に関して知られているため、復調と関連するその他の動作を行うことも可能であることが明確に理解されるべきである。モデム構成要素１０４５は、単一の機能ブロックとして示される一方で、モデム構成要素は、冗長性を通じて通信の完全性を確保するために複数のモデムを備えることができることがさらに明確に理解されるべきである。
【００５７】
モデム構成要素１０４５は、（例えばプランニング構成要素１０１０を介して）サービスプロバイダを通じての中継器プラットフォーム１０４０の動作の管理を容易にすることができることが注目されるべきである。例えば、プランニング構成要素１０１０は、特定の目的、例えば、（例えば新たな基地局の追加時における）ネットワーク保守又は再構成、のために特定の位置における中継器プラットフォーム１０４０の動作を停止させることができる。さらに、プランニング構成要素は、基地局１０２０に関するネットワークロード、セクター又はセルの干渉、ユーザー層状態、又は電力割り当て方式に従って中継器の動作を管理することができる。
【００５８】
フィルタエンジン１０５５は、典型的には、受信されたネットワーク情報１０２５に従って特定の周波数の入力信号（例えば、信号入）をフィルタリングする。一側面においては、ネットワーク情報は、特定のサービスと関連づけられた通信に関して利用可能である特定の一組のチャネルを搬送することができ、該チャネル周波数がフィルタリングされて関連づけられた信号、例えば信号出１０８５が中継される。フィルタ構成要素は、中継器の効率的な動作（例えば、副搬送波に基づくフィルタバンクを通じての並行した複雑さの低いフィルタリング、信号入力１０２５内にフィードバックされる信号に基づく適応等化、等）及び有利な動作（例えば、信号出１０８５の選択的利得、受信機アンテナと送信機アンテナとの間の実質的なアンテナ分離）が結果的に得られることになる様々な技術を利用することができる。フィルタエンジン１０５５は、例えばプロセッサ１０６５を介して、着信信号（例えば信号入力１０２５）がフィルタリング及び中継される一組の周波数を決定できることも明確に理解されるべきである。該決定は、様々な要因、例えば、中継器プラットフォーム１０４０の位置、セル／セクター負荷又は干渉、その他のセクター干渉、サービスが提供されるユーザー層、ネットワークの完全性、等、のうちの１つ以上、に基づくことができる。
【００５９】
図１１は、チャネルのフィルタリング及び中継を適応可能な形で決定することができる中継器プラットフォーム例１１４０を示す。中継器プラットフォームは、中継器が動作する方法を実質的に決定する情報を提供する様々な機能上の構成要素を備えることができる。中継器１１４０は、利用可能な性能メトリック（例えば、入力及び出力信号に関するＣ／Ｉメトリック、分離メトリック）と関連づけられた特定のポリシーを内蔵することができるポリシー格納装置１１１５を備える。さらに、ポリシー格納装置は、ネットワーク動作、例えば、セル／セクター負荷及び干渉レベル、その他のセクターの干渉、中継器プラットフォーム（例えば、１０４０又は１１４０）を含むサービスセル内のユーザーの動作モード（例えば、ＭＩＭＯ、ＳＩＭＯ、ＳＩＳＯ）、と関連づけられたポリシーを入れることができる。ポリシー格納装置１１１５は、メモリ１０７５内に少なくとも部分的に常駐できることが明確に理解されるべきである。ポリシー格納装置１１１５内に格納された動作ポリシーを採用するために、構成要素１１２５は、着信信号（例えば、信号入力１０２５）に基づいて、例えばモデム構成要素１０４５によって評価されるべきメトリックを構成することができる。さらに、構成要素１１２５は、特定のフィルタリング技法を確立することができ、及び中継器プラットフォーム１１４０（又は、代替として中継器プラットフォーム１０４０）が動作状態であるか又は停止されているか、又は非動作状態後に始動されたのかどうかを決定することができる。プロセッサ１０６５は、構成要素の機能の少なくとも一部分を提供するように構成することができる。
【００６０】
さらに、中継器プラットフォーム１１４０は、三角測量又は三辺測量を介して又は他のローカル位置決定機械、例えばＧＰＳ受信機、からデータを受信することによって中継器プラットフォーム１１４０の位置を計算することができるロケーションエンジン１１３５を備える。一側面においては、ロケーションエンジン１１３５を介して生成された位置情報は、例えばメモリ１０７５内に格納することができ、格納された情報は、中継器プラットフォーム１１４０が再配置されているかどうかを決定するために利用することができる。位置を決定するために採用された位置決定手法の分解能（ｒｅｓｏｌｕｔｉｏｎ）は、典型的には、中継器プラットフォーム１１４０が再配置されているかどうかを示すことが明確に理解されるべきである。（例えば、利用される位置決定手法の分解能によって決定された再配置しきい値との比較に基づいて）中継器プラットフォーム１１４０が再配置されていることが決定された場合は、現在位置が基地局１０２０に伝えられ、現在位置において動作する権限付与を要求することができる。さらに、デバイスが再配置していることを中継器プラットフォーム１０４０が決定し、中継機能をディスエーブルにした場合は、プラットフォームは、措置、例えば、現在位置における中継器の配置の権限を付与するためのサービスプロバイダの呼び出し、が講じられるべきであることをユーザーに連絡するための状態表示（例えば、故障ランプ点灯、等）を単に設定することができる。
【００６１】
他の側面においては、位置表示１１１０は、サービスプロバイダが例えばプランニング構成要素１０１０を通じて位置情報を利用して中継器プラットフォーム１０４０を可能にするか又はディエーブルにするかを決定するために例えば基地局１０２０に伝えることができる。例えば、中継器プラットフォーム（例えば、１１４０又は１０４０）が配置される位置は、ネットワークの完全性を損なう可能性があり、従って、サービスプロバイダは（プランニング構成要素１０１０を介して）中継器プラットフォームを停止させることができる。後者はモデム構成要素１０４５によって提供されるネットワーク管理例であることが明確に理解されるべきである。プロセッサ１０６５は、位置情報を生成するために必要な計算の少なくとも一部分を実行するように構成されることが注目されるべきである。さらに、ロケーションエンジン１１３５は、位置情報をＧＰＳ（示されていない）から受け取ることができる。ロケーションエンジン１１３５は、実質的にあらゆる配置情報源に依存できることが明確に理解されるべきである。
【００６２】
中継器プラットフォーム構成要素１１４０は、中継プラットフォーム１１４０の動作と関連づけられた状態情報を伝えることができる表示構成要素１１４５を備えることもできる。表示構成要素１１４５は、典型的には、参加者（例えば、人間、又は機械）を中継器プラットフォーム１１４０とインタフェースする。状態情報は、中継プラットフォーム２４０と関連づけられた性能メトリック又は動作状態の表示を含むことができ、この表示は、中継プラットフォームのハウジング構成要素における照明バー又はドット等の表示を通じて伝えることができる。その他の種類の表示（例えば、ＬＣＤ又はその他の視覚手段、ブザー又はその他の形態の音声インジケータ）も可能であることが明確に理解されるべきである。
【００６３】
図１２Ａは、ポリシー格納装置１１１５の内容例１２０５を示す。ポリシー内容１２０５は、ドキュメント、ファイル、レジスタとしてメモリ内に格納することができる。該内容は、一組の利用可能な通信チャネル及びこれらのチャネルにおける信号をフィルタリング／中継する方法の指図と、ネットワーク完全性ポインタ、ユーザー層状態と、ネットワークロード、セル／セクター干渉と、等を含むことができる。ポリシー格納装置の内容１１５５は、内容の完全性を保持するために暗号化できることが理解されるべきである。
【００６４】
図１２Ｂは、例えばフィルタリングされるべき副帯域又はチャネルのリストとしてネットワーク情報１０３５において受信できるフィルタマスク例を示す。モデム構成要素１０４５は、プロセッサ１０６５を介してメッセージを復調し、受信されたチャネルリストをフィルタ構成要素１０５５に伝えることができる。次に、リストとともに受信された表示に依存してチャネル又は副帯域のリストがフィルタリングされるか又は通過が許可され、権限が付与されたチャネル（例えば、フィルタを通過することが許可されたチャネル）に含まれている情報をこれ以前に説明される側面に従って中継することができる。
【００６５】
代替の又は追加の側面においては、構成要素１１２５は、ポリシー格納装置１１１５にアクセスし、現在の動作位置（例えば、中継器プラットフォーム１１４０が動作権限を付与される位置）において一組の格納された規則が遵守されていることを決定することができる。例えば、ネットワーク情報１０３５を搬送する受信メッセージのＣ／Ｉメトリックをモニタリングすること及び予め決められた数のメッセージのうちの特定の割合がしきい値を上回るメトリックを示すと決定することに基づいたメトリックポリシー。従って、構成要素は、プロセッサ１１６５を介して、受信されたメッセージの一貫したチャネル品質を考慮して動作権限を付与することができる。
【００６６】
代替の又は追加の側面においては、構成要素１１２５は、ポリシー格納装置１１１５にアクセスし、現在の動作位置（例えば、中継器プラットフォーム１１４０が動作権限を付与される位置）において一組の格納された規則が遵守されていることを決定することができる。例えば、ネットワーク情報１０３５を搬送する受信メッセージのＣ／Ｉメトリックをモニタリングすること及び予め決められた数のメッセージのうちの特定の割合がしきい値を上回るメトリックを示すと決定することに基づいたメトリックポリシー。従って、構成要素は、プロセッサ１１６５を介して、受信されたメッセージの一貫したチャネル品質を考慮して動作権限を付与することができる。
【００６７】
図１２Ｂでは、ＵＬに関するセルラーフィルタマスク（例えば、マスク１２５０）及びＤＬに関するセルラーフィルタマスク（例えば、マスク１２５５）は、Ｂ１帯域及びＢ２帯域を通過させ、マスクはＡ１帯域及びＡ２帯域をフィルタリングする。ＰＣＳの場合は、ＵＬ１２６０に関するマスクは、Ｄ、Ｅ、Ｆ、Ｃ２及びＣ５帯域を通過させ、Ａ、Ｂ、Ｃ１、及びＣ３をブロックする。ＤＬに関するマスク１２６５に関しても同様のマスキングが行われる。
【００６８】
図１３は、構成を達成するために、無線ネットワークを運用するサービスプロバイダとは異種のネットワーク管理プラットフォームを利用する中継プラットフォームの構成を容易にするシステム例のブロック図１３００である。ネットワーク管理プラットフォーム１３１０は、プランニング構成要素１０１０を備え、中継器プラットフォーム１０４０の構成と関連づけられた実質上すべてのメッセージ通過が管理プラットフォーム１３１０によって管理される。ネットワーク管理構成要素１３１０は、基地局１０２０から位置情報も受信し、この位置情報は、ロケーションエンジン１３１５を介して生成される。情報を生成するために、基地局１０２０と中継器プラットフォーム１０４０との間において通信を確立する必要があることが注目されるべきである。該通信リンクは、基地局１０２０が中継器プラットフォーム１０４０からメッセージ（例えば、モデム１９４５によって生成されたビーコンフレーム）を受信すること、及び該メッセージを利用して中継器プラットフォーム１０４０に関する現在位置を決定することを容易にすることができる。基地局（例えば、１０２０）においては典型的にはより高い複雑さが許容され、従ってロケーションエンジン１３１５は、ＧＰＳを利用して、中継器プラットフォーム１０４０から送信された信号を受信する異種基地局間における三角測量又は三辺測量に基づいて中継器プラットフォーム１０４０の位置を決定することもできる。中継器プラットフォーム１０４０内のモデム構成要素１０４５は、ロケーションエンジン１３１５によって決定された位置を、例えばネットワーク管理プラットフォーム１３１０によって中継器プラットフォーム１１４０の位置を決定するために利用することができるアップリンク制御チャネルにおいて基地局に伝達できることが注目されるべきである。ここにおいては、ＧＰＳは、衛星測位システムの一例として用いられるが、あらゆる型の衛星測位システム（例えば、ＧＰＳ、ガリレオ、ＧＬＯＮＡＳＳ、又はその組み合わせであり、一般的にはＧＮＳＳ又はグローバル航法衛星システムと呼ぶことができる）を用いることができることに注目すること。
【００６９】
ここにおいて説明されるシステム及び方法の知識を効率的に表すためのシステム及び方法は、同じプロバイダにおけるメモリ内データを解決することに関して適用することもできる。該状況において、メモリ内データは、物理的記憶装置によってバックアップすることができず、例えばノードを同期化するためにＣＰＵにおけるグラフソルバーにおいて用いることができる。ここにおいて説明されるシステム及び方法は、シーングラフに関して適用することもでき、その理由は、特にこれらのシーングラフは多コアアーキテクチャにおいてより分散され、計算は体積テキスチャ等のメモリ内データ構造に直接書き込まれるためである。
【００７０】
ここにおいて説明されるシステム及び方法を実装する複数の方法、例えば、アプリケーション及びサービスがここにおいて説明されるシステム及び方法に従って知識を表現及び交換するためのシステム及び方法を用いるのを可能にする適切なＡＰＩ、ツールキット、ドライバコード、オペレーティングシステム、制御、スタンドアロン又はダウンロード可能ソフトウェアオブジェクト、等が存在する。ここにおいて説明されるシステム及び方法は、ＡＰＩ（又はその他のソフトウェアオブジェクト）の観点から、及びここにおいて説明されるシステム及び方法に従って知識交換を行うソフトウェア又はハードウェアオブジェクトの観点から、ここにおいて説明されるシステム及び方法を用いることを企図する。従って、ここにおいて説明されるシステム及び方法の様々な実装は、全部がハードウェア内に、一部分がハードウェア内で一部分がソフトウェア内に、及びソフトウェア内に存在する側面を有することができる。
【００７１】
ここにおいて用いられる「典型的な」という表現は、1つの例、事例、又は実例を示すことを目的とするものである。疑念を回避するため、ここにおいて開示される主題は、該例に限定されない。さらに、ここにおいて“典型的な”として説明されるいずれの側面又は設計も、その他の側面又は設計よりも好ましい又は有利であるとは必ずしも解釈すべきではなく、さらに、当業者に知られている同等の典型的構造及び技法を除外することを意味しない。さらに、“含む”、“有する”、“内蔵する”、及びその他の類似の表現は、発明を実施するための形態又は請求項のいずれかにおいて用いられる限りにおいて、疑念を回避することを目的として、追加の又はその他の要素を除外することなしに、開放された移行語としての表現“備える”と同様の形での包含性を有することが意図される。上述されるように、ここにおいて説明されるシステム及び方法の典型的実施形態は、様々な計算デバイス及びネットワークアーキテクチャと関係させて説明されている一方で、根本的な概念は、他の計算デバイス又はシステムとデータを同期化させることが望ましいあらゆる計算デバイス又はシステムに対して当てはめることができる。例えば、ここにおいて説明されるシステム及び方法の同期化プロセスは、計算デバイスにおける別個のオブジェクトとして、他のオブジェクトの一部として、再使用可能な制御として、サーバーからのダウンロード可能なオブジェクトとして、デバイス又はオブジェクトとネットワークとの間の“仲介者”として、分散されたオブジェクトとして、ハードウェアとして、メモリにおいて、上記のいずれかの組み合わせ、等として提供される、該計算デバイスのオペレーティングシステムに対して適用することができる。
【００７２】
上述されるように、ここにおいて説明される様々な技法は、ハードウェア又はソフトウェアと関係させて、又は、該当する場合は両方の組み合わせと関係させて実装することができる。ここにおいて用いられる“構成要素”、“システム”、等の用語は、ハードウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。一例として、コンピュータにおいて実行中のアプリケーション及びそのコンピュータの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。
【００７３】
従って、ここにおいて説明されるシステム及び方法の方法及び装置、又はその一定の側面又は一部分、は、有形の媒体、例えば、フロッピーディスケット、ＣＤ−ＲＯＭ、ハードドライブ、又はその他の機械によって読み取り可能な記憶媒体、において具現化されたプログラムコード（すなわち、命令）の形態をとることができ、プログラムコードが機械、例えばコンピュータ、内にローディングされて該機械によって実行されるときには、該機械は、ここにおいて説明されるシステム及び方法を実践するための装置になる。プログラミング可能なコンピュータにおけるプログラムコードの実行の場合は、計算デバイスは、一般的には、プロセッサと、プロセッサによって読み取り可能な記憶媒体（揮発性及び非揮発性メモリ及び／又は記憶要素を含む）と、少なくとも１つの入力デバイスと、少なくとも１つの出力デバイスと、を含む。例えばデータ処理ＡＰＩ、再使用可能な制御、等を用いてここにおいて説明されるシステム及び方法の同期化サービス及び／又はプロセスを実装又は利用することができる１つ以上のプログラムは、好ましいことに、コンピュータシステムと通信するための高位の手順指向又はオブジェクト指向のプログラミング言語で実装される。しかしながら、これらのプログラムは、希望される場合はアセンブリ言語又は機械語で実装することができる。いずれの場合においても、言語は、コンパイル又は解釈された言語であることができ、ハードウェア実装と組み合わせることができる。
【００７４】
ここにおいて説明されるシステム及び方法の方法及び装置は、何らかの送信媒体を通じて、例えば電気的配線又はケーブルを通じて、光ファイバを通じて、又はその他の送信形態を介して送信されるプログラムコードの形態で具現化された通信を介して実践することができ、ここで、プログラムコードが機械、例えばＥＰＲＯＭ、ゲートアレイ、プログラマブルロジックデバイス（ＰＬＤ）、クライアントコンピュータ、等によって受け取られてローディングされて実行されるときには、該機械は、ここにおいて説明されるシステム及び方法を実践するための装置になる。汎用プロセッサに実装されるときには、プログラムコードは、プロセッサと結合し、ここにおいて説明されるシステム及び方法の機能を呼び出すために動作する一意の装置を提供する。さらに、ここにおいて説明されるシステム及び方法と関係させて用いられる記憶技法は、不変的に、ハードウェアとソフトウェアの組み合わせであることができる。
【００７５】
さらに、開示される主題は、コンピュータ又はプロセッサに基づくデバイスがここにおいて詳述される側面を実装するのを制御するためのソフトウェア、ファームウェア、ハードウェア、又はその組み合わせを製造するための標準的なプログラミング及び／又はエンジニアリング技法を用いる製造システム、製造方法、製造装置、又は製造品として実装することができる。ここにおいて用いられる“製造品”（又は代替としての“コンピュータプログラム製品”）という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピーディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック）と、を含むことができるが、これらに限定されない。さらに、音声メールを送信及び受信する際又はインターネット又はローカルエリアネットワーク（ＬＡＮ）等のネットワークにアクセスする際に用いられるようなコンピュータによって読み取り可能な電子データを搬送するために搬送波を採用できることが知られている。
【００７６】
上記のシステムは、幾つかの構成要素間における相互関係に関して説明されている。該システム及び構成要素は、それらの構成要素又は指定された副構成要素、指定された構成要素又は副構成要素の一部、及び／又は追加の構成要素を含むことができ、及び上記の様々な置換及び組み合わせによることができることを明確に理解することができる。副構成要素は、親構成要素（階層）内に含めるのではなくその他の構成要素に通信可能な形で結合される構成要素として実装することも可能である。さらに、１つ以上の構成要素を結合して単一の構成要素にすることで総合的な機能を提供するか又は幾つかの別個の副構成要素に分割することができ、及び統合された機能を提供するために該副構成要素に通信可能な形で結合するための１つ以上の中間層、例えば管理層、を提供できることが注目されるべきである。ここにおいて説明される構成要素は、ここにおいては具体的に説明されていないが当業者によって一般的に知られている１つ以上のその他の構成要素と相互に関係させることも可能である。
【００７７】
上述される典型的システムに関して、開示される主題に従って実装することができる方法が、図１４、１５、及び１６の流れ図を参照することによってより良く理解されるであろう。説明を単純化する目的上、方法は、一連のブロックとして示されて説明されている一方で、幾つかのブロックは描かれてここにおいて説明されるのとは異なる順序で及び／又はその他のブロックと同時並行して生じることができるため、請求される主題はブロックの順序によって制限されないことが理解及び評価されるべきである。順次でない、又は分岐された流れが流れ図を介して示される場合は、同じ又は同様の結果を達成する様々なその他の分岐、流れ経路、及びブロックの順序を実装できることが明確に理解されるべきである。さらに、すべての例示されるブロックが以下において説明される方法を実装するために要求されるわけではない。
【００７８】
図１４は、周波数中継器を構成するための典型的方法を示す。一側面においては、周波数中継器は、上述されるようにプラットフォーム１０４０等の中継器プラットフォームであることができる。動作１４１０において、周波数中継器は、サービスプロバイダのアイデンティティを用いて構成される。一側面においては、該構成は、周波数中継器内のメモリ、例えばポリシー格納装置、に格納することができる。動作１４２０において、周波数中継器は、中継器が予め構成されたアイデンティティに一致するサービスプロバイダによって送信された信号を受信する位置において配置される。予め構成されたサービスプロバイダから受信される信号に関する性能メトリックと連携する表示構成要素（例えば、構成要素１１４５）を利用して該位置を特定できることが明確に理解されるべきである。周波数中継器は、様々な位置に配置され、性能メトリックを反映させた表示が特定のレベルに達した時点で位置決めされる。動作１４３０において、予め構成されたサービスプロバイダからのメッセージが受信され、そのメッセージは、サービスによって利用されるか又はサービスに関して利用可能な一組の周波数チャネルを定義する。メッセージは、通信に関して利用される技術に従って搬送でき、例えば、Ｗｉ−Ｆｉネットワークにおいては、メッセージは一組の管理フレームを通じて通信することができ、他方、ＷＣＤＭＡ、ＣＤＭＡ、又はＬＴＥシステムにおいてはブロードキャストチャネルでメッセージを搬送できることが明確に理解されるべきである。動作１４４０において、受信された組の周波数を排他的に通過させるようにデジタルフィルタが構成される。このフィルタは、中継器内に格納されたポリシーに従って構成することも可能である。動作１４５０において、フィルタリングされた、又は通過された周波数が中継される。
【００７９】
図１５は、性能メトリックに基づいて中継器を適応可能な形で構成するための方法を示す。動作１５１０において、中継されるべき信号の品質メトリックが測定される。動作１５２０において、品質メトリックがしきい値を上回るかどうかが検査される。動作１５３０において、受信アンテナと送信信号との間の分離メトリックが測定され、動作１５４０において、メトリックが予め決められたしきい値を上回るかどうかが検査される。動作１５５０において、中継器の動作状態インジケータに関する状態表示（例えば、表示＝良好）がイネーブルにされ、完全中継機能がイネーブルにされる。動作１５６０において、中継器に関する性能メトリックがモニタリングされ、動作１５７０において、性能がしきい値を上回るかどうかが検査される。性能がしきい値を上回る場合は、動作１５５０が実行される。逆に、動作１５８０において中継器に関する状態表示がディスエーブルにされ（例えば、表示＝“故障”）、中継機能がディスエーブルにされる。次に、性能メトリックが再検査されて“故障”状態が依然として存在するかモニタリングされる。
【００８０】
図１６は、位置変化に基づいて周波数中継器の動作状態を管理するための方法を示す。動作１６１０において、権限付与メッセージが第１の動作位置において受信される。動作１６２０において、位置情報が格納される。情報は、周波数受信機内のメモリ（例えば、メモリ１０６５）に格納することができる。動作１６３０は、現在位置が第１の動作位置から変化しているかどうかを検査する。現在位置が第１の位置に関して変化しているときには、周波数中継器はディエーブルにされる。動作１６５０において、権限が付与されるかどうかが検査される。該権限付与は、周波数中継器が現在位置で動作するのを可能にすることができる。動作１６６０において、オーバーヘッドチャネルメッセージが現在位置において受信される。動作１６７０において、中継すべき周波数が受信されたオーバーヘッドチャネルから抽出される。動作１６８０において、一組の権限が付与された周波数を通過させるように一組のフィルタが構成される。
【００８１】
図１７は、周波数中継器の構成を容易にするシステム例１６００を示す。システムは、サービスプロバイダのアイデンティティを用いて周波数中継器を構成するためのモジュール１７１０と、周波数中継器が予め構成されたアイデンティティに一致するサービスプロバイダによって送信された信号を受信する位置において周波数中継器を配置するためのモジュール１７２０と、利用可能なサービスを有する一組の周波数チャネルを定義するメッセージをサービスプロバイダから受信するためのモジュール１７３０と、受信された組の周波数を排他的に通過させるようにデジタルフィルタを構成するためのモジュール１７４０と、通過された周波数を中継するためのモジュール１７５０と、を含む。
【００８２】
ここにおいて説明されるモジュールは、ハードウェア、ソフトウェア、又はその組み合わせを備えることができる。すなわち、モジュールを実装するための構造は、機械によって読み取り可能な媒体内に格納されるソフトウェア、ハードウェア、及びハードウェアとソフトウェアの組み合わせを用いる構造を含む。
【００８３】
さらに、明確に理解されるように、上記の開示されるシステム及び下記の方法の様々な部分は、人工知能又は知識又は規則に基づく構成要素、副構成要素、プロセス、手段、方法、又は機構（例えば、サポートベクトルマシン、ニューラルネットワーク、エキスパートシステム、ベイジアン信念ネットワーク、ファジーロジック、データ融合エンジン、分類器、等）を含むか又はこれらから成ることができる。該構成要素は、特に、一定の機構又はそれによって実行されるプロセスを自動化してシステム及び方法の一部分を効率的及びインテリジェントであることに加えてより適応可能であるようにすることができる。
【００８４】
ここにおいて説明されるシステム及び方法は、様々な図の好まれる実施形態と関係させて説明されている一方で、逸脱することなしにその他の同様の実施形態を用いることができ又はここにおいて説明されるシステム及び方法の同じ機能を実行するための修正又は追加を説明される実施形態に対して行うことができる。例えば、ここにおいて説明されるシステム及び方法の典型的ネットワーク環境は、ネットワーク化された環境、例えばピア・ツー・ピアネットワーク化された環境、に関して説明される一方で、ここにおいて説明されるシステム及び方法はそれには限定されないこと、この出願において説明される方法は、有線であるか又は無線であるかにかかわらずあらゆる計算デバイス又は環境、例えばゲームコンソール、ハンドヘルドコンピュータ、ポータブルコンピュータ、等に対して適用できること、及び通信ネットワークを介して接続されてネットワークを通じて相互に関係しているあらゆる数の該計算デバイスに対して適用できることを当業者は認識するであろう。さらに、特に無線ネットワーク化されたデバイス数が急増するのに従ってハンドヘルドデバイスオペレーティングシステム及びその他の特定用途向けオペレーティングシステムを含む様々なコンピュータプラットフォームが企図されることが強調されるべきである。
【００８５】
典型的実施形態は、特定のプログラミング言語構造に関してここにおいて説明されるシステム及び方法を利用することに関するものである一方で、ここにおいて説明されるシステム及び方法はそれには限定されず、ここにおいて説明されるシステム及び方法に従って一組のノードに関する知識を表現及び交換するための方法を提供するためにあらゆる言語で実装することができる。さらに、ここにおいて説明されるシステム及び方法は、複数の処理チップ又はデバイスにおいて又は複数の処理チップ又はデバイス全体にわたって実装することができ、格納は、同様に複数のデバイスにわたることができる。従って、ここにおいて説明されるシステム及び方法は、単一の実施形態に限定されるべきでなく、むしろ添付される請求項に従った広さ及び範囲において解釈されるべきである。
【図１】
2010520721.tif 000003
【図２】
2010520721.tif 000004
【図３】
2010520721.tif 000005
【図４】
2010520721.tif 000006
【図５】
2010520721.tif 000007
【図６】
2010520721.tif 000008
【図７】
2010520721.tif 000009
【図８】
2010520721.tif 000010
【図９】
2010520721.tif 000011
【図１０】
2010520721.tif 000012
【図１１】
2010520721.tif 000013
【図１２Ａ】
2010520721.tif 000014
【図１２Ｂ】
2010520721.tif 000015
【図１３】
2010520721.tif 000016
【図１４】
2010520721.tif 000017
【図１５】
2010520721.tif 000018
【図１６】
2010520721.tif 000019
【図１７】
2010520721.tif 000020
【国際調査報告】
2010520721.tif 000021
2010520721.tif 000022
2010520721.tif 000023